(57)【特許請求の範囲】
【請求項１】
入金口に一端が臨み、前記入金口から入金される貨幣を搬送するための入金系搬送路と、
前記入金系搬送路により搬送されてくる貨幣を、金種、正損等にかかわらず一括して収納するための入金用一括収納庫と、
前記入金用一括収納庫とは別に設けられ、貨幣を、金種、正損等にかかわらず一括して収納するための出金用一括収納庫と、
前記入金用一括収納庫の貨幣取出口から前記出金用一括収納庫を経由して出金口に至るように設けられた出金系搬送路と、
を含むことを特徴とする、貨幣処理装置。
【請求項２】
前記入金系搬送路と前記出金系搬送路とを、互いに独立的に、かつ、並列的に動作させる搬送路並列駆動制御手段をさらに含むことを特徴とする、請求項１記載の貨幣処理装置。
【請求項３】
前記出金系搬送路に関連して設けられた貨幣包装装置と、
前記出金系搬送路により前記出金用一括収納庫の貨幣を出金する際に、前記貨幣包装装置を駆動させ、出金する貨幣を包装貨幣にする出金貨幣包装制御手段と、
を含むことを特徴とする、請求項１または２記載の貨幣処理装置。
【請求項４】
前記出金貨幣包装制御手段は、前記貨幣包装装置へ搬送される貨幣が包装に適する貨幣か否かを判別するための第１の判別手段と、
前記第１の判別手段が包装に適さないと判別したことに応答して、当該包装に適さないと判別された貨幣を前記出金系搬送路によって前記出金用一括収納庫へ戻すための第１の戻し制御手段と、
を含むことを特徴とする、請求項３記載の貨幣処理装置。
【請求項５】
前記出金貨幣包装制御手段は、前記貨幣包装装置へ搬送される貨幣が包装に適する貨幣か否かを判別するための第１の判別手段と、
前記第１の判別手段が包装に適さないと判別したことに応答して、当該包装に適さないと判別された貨幣を、前記出金系搬送路から前記入金系搬送路を経由して、前記入金用一括収納庫へ戻すための第２の戻し制御手段と、
を含むことを特徴とする、請求項３記載の貨幣処理装置。
【請求項６】
前記包装に適する貨幣は、損券であることを特徴とする、請求項４または５記載の貨幣処理装置。
【請求項７】
前記入金用一括収納庫の貨幣取出口から前記出金系搬送路を通って取り出される貨幣が損券か否かを判別するための第２の判別手段を有し、
前記第２の判別手段が、貨幣が損券と判別したことに応答して、前記出金系搬送路によって当該貨幣を前記出金用一括収納庫へ収納させる損券収納制御手段を含むことを特徴とする、請求項１記載の貨幣処理装置。
【請求項８】
前記入金系搬送路に関連して、入金貨幣判別手段が設けられており、
前記入金貨幣判別手段が、前記入金系搬送路により搬送される入金貨幣が損券または指定された金種の貨幣であると判別したことに応答して、当該貨幣を前記入金用一括収納庫へ収納するように、前記入金系搬送路を駆動させる損券・指定金種貨幣の入金制御手段を含むことを特徴とする、請求項１記載の貨幣処理装置。
【請求項９】
前記入金用一括収納庫の貨幣取出口から前記出金系搬送路を通って取り出される貨幣が損券か否かや指定された金種の貨幣であるか否かを判別するための第２の判別手段を有し、
前記入金用一括収納庫に収納された貨幣を貨幣取出口から前記出金系搬送路により取り出す取出制御手段と、
前記第２の判別手段が、貨幣が損券と判別したことに応答して、当該損券を前記出金用一括収納庫へ収納するように前記出金系搬送路を動作させる損券収納制御手段と、
前記第２の判別手段が、貨幣が指定された金種の貨幣と判別したことに応答して、当該貨幣を、前記出金系搬送路から前記入金系搬送路を経由して前記入金用一括収納庫へ戻すように、前記出金系搬送路および入金系搬送路を駆動制御する戻し制御手段と、
を含むことを特徴とする、請求項８記載の貨幣処理装置。
【請求項１０】
前記入金系搬送路と前記出金系搬送路とをつなぐ中継路を含むことを特徴とする、請求項１〜９のいずれか一項に記載の貨幣処理装置。
【発明の詳細な説明】
【技術分野】
【０００１】
この発明は、貨幣の入出金を行うことができる貨幣処理装置に関する。
【背景技術】
【０００２】
従来より、銀行等の金融機関で使用され、貨幣の入出金を行うことができる貨幣処理装置が知られている（たとえば、特許文献１参照）。
特許文献１では、紙幣入出金機が提案されている。この紙幣入出金機では、入金口に投入された紙幣は、入金経路を介してカートリッジ群に入金され、カートリッジ群から繰り出された紙幣は、出金経路を介して出金口に出金される。つまり、この紙幣入出金機では、入金口や入金経路等で構成された入金系と、出金口や出金経路等で構成された出金系とが分離して設けられているので、入金処理と出金処理とを並行して行うことができる。
【０００３】
また、紙幣入出金機には、損券（傷んだ紙幣）等であると判別された紙幣や、カートリッジ群の各カートリッジに入りきらなかった紙幣や、収納先のカートリッジが割り当てられていない金種の紙幣等を一括で収納するためのリジェクトカートリッジが設けられている。
【先行技術文献】
【特許文献】
【０００４】
【特許文献１】特開平５−６２０４６号公報
【発明の概要】
【発明が解決しようとする課題】
【０００５】
特許文献１の紙幣入出金機において、リジェクトカートリッジに収納された紙幣は、損券等の問題があるものでないとしても、出金に使用されることはなく、リジェクトカートリッジに収納されたままであるから、無駄がある。
この発明は、かかる背景のもとでなされたもので、様々な貨幣が一括収納される収納庫を有する構成において、当該収納庫の貨幣を使用することができ、かつ、入金処理および出金処理といった複数の処理を並行して行うことができる使い勝手のよい貨幣処理装置を提供することを目的とする。
【課題を解決するための手段】
【０００６】
請求項１記載の発明は、入金口に一端が臨み、前記入金口から入金される貨幣を搬送するための入金系搬送路と、前記入金系搬送路により搬送されてくる貨幣を、金種、正損等にかかわらず一括して収納するための入金用一括収納庫と、前記入金用一括収納庫とは別に設けられ、貨幣を、金種、正損等にかかわらず一括して収納するための出金用一括収納庫と、前記入金用一括収納庫の貨幣取出口から前記出金用一括収納庫を経由して出金口に至るように設けられた出金系搬送路と、を含むことを特徴とする、貨幣処理装置である。
【０００７】
請求項２記載の発明は、前記入金系搬送路と前記出金系搬送路とを、互いに独立的に、かつ、並列的に動作させる搬送路並列駆動制御手段をさらに含むことを特徴とする、請求項１記載の貨幣処理装置である。
請求項３記載の発明は、前記出金系搬送路に関連して設けられた貨幣包装装置と、前記出金系搬送路により前記出金用一括収納庫の貨幣を出金する際に、前記貨幣包装装置を駆動させ、出金する貨幣を包装貨幣にする出金貨幣包装制御手段と、を含むことを特徴とする、請求項１または２記載の貨幣処理装置である。
【０００８】
請求項４記載の発明は、前記出金貨幣包装制御手段は、前記貨幣包装装置へ搬送される貨幣が包装に適する貨幣か否かを判別するための第１の判別手段と、前記第１の判別手段が包装に適さないと判別したことに応答して、当該包装に適さないと判別された貨幣を前記出金系搬送路によって前記出金用一括収納庫へ戻すための第１の戻し制御手段と、を含むことを特徴とする、請求項３記載の貨幣処理装置である。
【０００９】
請求項５記載の発明は、前記出金貨幣包装制御手段は、前記貨幣包装装置へ搬送される貨幣が包装に適する貨幣か否かを判別するための第１の判別手段と、前記第１の判別手段が包装に適さないと判別したことに応答して、当該包装に適さないと判別された貨幣を、前記出金系搬送路から前記入金系搬送路を経由して、前記入金用一括収納庫へ戻すための第２の戻し制御手段と、を含むことを特徴とする、請求項３記載の貨幣処理装置である。
【００１０】
請求項６記載の発明は、前記包装に適する貨幣は、損券であることを特徴とする、請求項４または５記載の貨幣処理装置である。
請求項７記載の発明は、前記入金用一括収納庫の貨幣取出口から前記出金系搬送路を通って取り出される貨幣が損券か否かを判別するための第２の判別手段を有し、前記第２の判別手段が、貨幣が損券と判別したことに応答して、前記出金系搬送路によって当該貨幣を前記出金用一括収納庫へ収納させる損券収納制御手段を含むことを特徴とする、請求項１記載の貨幣処理装置である。
【００１１】
請求項８記載の発明は、前記入金系搬送路に関連して、入金貨幣判別手段が設けられており、前記入金貨幣判別手段が、前記入金系搬送路により搬送される入金貨幣が損券または指定された金種の貨幣であると判別したことに応答して、当該貨幣を前記入金用一括収納庫へ収納するように、前記入金系搬送路を駆動させる損券・指定金種貨幣の入金制御手段を含むことを特徴とする、請求項１記載の貨幣処理装置である。
【００１２】
請求項９記載の発明は、前記入金用一括収納庫の貨幣取出口から前記出金系搬送路を通って取り出される貨幣が損券か否かや指定された金種の貨幣であるか否かを判別するための第２の判別手段を有し、前記入金用一括収納庫に収納された貨幣を貨幣取出口から前記出金系搬送路により取り出す取出制御手段と、前記第２の判別手段が、貨幣が損券と判別したことに応答して、当該損券を前記出金用一括収納庫へ収納するように前記出金系搬送路を動作させる損券収納制御手段と、前記第２の判別手段が、貨幣が指定された金種の貨幣と判別したことに応答して、当該貨幣を、前記出金系搬送路から前記入金系搬送路を経由して前記入金用一括収納庫へ戻すように、前記出金系搬送路および入金系搬送路を駆動制御する戻し制御手段と、を含むことを特徴とする、請求項８記載の貨幣処理装置である。
請求項１０記載の発明は、前記入金系搬送路と前記出金系搬送路とをつなぐ中継路を含むことを特徴とする、請求項１〜９のいずれか一項に記載の貨幣処理装置である。
【発明の効果】
【００１３】
請求項１記載の発明によれば、貨幣処理装置では、入金系搬送路と出金系搬送路とが別々に設けられているので、入金口からの貨幣を入金する入金処理と、出金口へ貨幣を出金する出金処理とを並行して行うことができる。また、様々な貨幣が一括収納される一括収納庫が、入金用と出金用とで別々に（分割して）設けられており、出金系搬送路は、入金用一括収納庫の貨幣を、出金用一括収納庫を経由させて出金口まで搬送することができる。そのため、入金用一括収納庫の貨幣を、入金用一括収納庫が満杯になったとき等に出金用一括収納庫に移したり、出金口から出金させたりと様々に使用することができる。つまり、貨幣処理装置では、一括収納庫の貨幣を使用することができ、かつ、入金処理および出金処理といった複数の処理を並行して行うことができるので、使い勝手がよい。
【００１４】
請求項２記載の発明によれば、搬送路並列駆動制御手段によって、入金系搬送路での入金処理と出金系搬送路での出金処理とを並行して行うことができる。
請求項３記載の発明によれば、入金処理と並行して、出金用一括収納庫の貨幣を包装貨幣にすることができる。
請求項４記載の発明によれば、包装に適さないと判別されて行き先がなくなった貨幣を出金用一括収納庫へ戻し、包装貨幣以外の用途（出金等）に用いることができる。
【００１５】
請求項５記載の発明によれば、包装に適さないと判別されて行き先がなくなった貨幣を入金用一括収納庫へ戻し、包装貨幣以外の用途（出金等）に用いることができる。
請求項６記載の発明にように、包装に適する貨幣は、損券であってもよい。
請求項７記載の発明によれば、入金用一括収納庫の損券を出金用一括収納庫に移すことができるので、入金用一括収納庫および出金用一括収納庫をうまく使い分けて、それぞれの収納庫における貨幣の収納量を適宜調整することができる。
【００１６】
請求項８記載の発明によれば、損券と、指定金種（たとえば取扱量の少ない金種）の貨幣とが入金用一括収納庫にまとめて収納されることから、損券用の収納庫と、指定金種用の収納庫とを別々に設けずに済むので、貨幣処理装置の大型化を抑制できる。
請求項９記載の発明によれば、入金用一括収納庫にまとめて収納された損券および指定金種の貨幣を一旦取り出して、損券を出金用一括収納庫へ収納し、指定金種の貨幣を入金用一括収納庫に戻すことによって、損券および指定金種の貨幣を分離することができるので、使い勝手が良い。
【図面の簡単な説明】
【００１７】
【図１】図１は、この発明の一実施形態に係る貨幣処理装置１の正面側の外観を示す斜視図である。
【図２】図２は、貨幣処理装置１におけるばら紙幣処理ユニット２の模式的な縦断面図である。
【図３】図３は、図２においての紙幣Ｓの流れを示した図である。
【図４】図４は、ばら紙幣処理ユニット２において行われる制御動作の一例を示すフローチャートである。
【図５】図５は、図２において紙幣Ｓの流れを示した図である。
【発明を実施するための形態】
【００１８】
以下には、図面を参照して、この発明の実施形態について具体的に説明する。
図１は、この発明の一実施形態に係る貨幣処理装置１の正面側の外観を示す斜視図である。
図１に示す貨幣処理装置１は、たとえば、銀行等に設置される出納機である。
貨幣処理装置１は、ばら紙幣処理ユニット２と、包装紙幣処理ユニット３（貨幣包装装置）と、包装硬貨処理ユニット４と、ばら硬貨処理ユニット５とを含んでいる。これらの処理ユニットは、図１における左側から順に、包装紙幣処理ユニット３、ばら紙幣処理ユニット２、包装硬貨処理ユニット４、ばら硬貨処理ユニット５の順で配置されている。それぞれの処理ユニットは、対応する貨幣（硬貨または紙幣）の入出金処理を行う。ここで、ばら紙幣は、１枚毎に分離した状態の個々の紙幣を指していて、包装紙幣は、所定数毎にまとめられて帯封された紙幣（まとまった紙幣の束）を指している。同様に、ばら硬貨は、１枚毎に分離した状態の個々の硬貨を指していて、包装硬貨は、所定数毎にまとめられて包装された硬貨（硬貨のまとまりによって構成された棒状体）を指している。包装紙幣および包装硬貨は、所定数毎にまとめて包装された包装貨幣に含まれる。
【００１９】
貨幣処理装置１は、その上部に、貨幣処理装置１に所定の処理を実行させるために係員によって操作される操作部６と、必要な情報が表示される表示部７とを主に備えている。
図２は、貨幣処理装置１におけるばら紙幣処理ユニット２の模式的な縦断面図である。図３は、図２においての紙幣Ｓの流れを示した図である。
図２および図３において、左側がばら紙幣処理ユニット２の前側（正面側）であり、右側がばら紙幣処理ユニット２の後側である（後述する図５においても同様）。
【００２０】
図２を参照して、ばら紙幣処理ユニット２は、その筐体１０内に、入金部１１と、複数（ここでは３つ）の入金庫１２と、入金用一括収納庫１３と、出金用一括収納庫１４と、複数（ここでは２つ）の整理一時保留部１５と、入金リジェクト部１６と、出金部１７と、搬送機構１８とを備えている。入金庫１２と、入金用一括収納庫１３と、出金用一括収納庫１４とは別々に設けられている。
【００２１】
筐体１０の正面上部には、シャッター１９によって開閉される入金口２０が形成されていて、入金部１１が入金口２０に臨むように配置されている。
複数の入金庫１２は、前後方向（図２の左右方向）に並んで配置された縦長ボックス状であって、各入金庫１２には、予め定められた金種のばら紙幣（以下では、単に「紙幣」という）Ｓが上下に積層された状態で収納される。たとえば、筐体１０の正面側から順に、１番目の入金庫１２には一万円札だけが収納され、２番目の入金庫１２には五千円札だけが収納され、３番目の入金庫１２には千円札だけが収納される。つまり、入金庫１２は、３種類（一万円札、五千円札、千円札）の金種分しかないので、他の金種（取扱量の少ない金種であって、ここでは二千円札）専用の入金庫１２は設けられていない。初期状態（貨幣処理装置１の運転開始時）の各入金庫１２には、収納可能枚数の半分くらいの枚数の紙幣Ｓが収納されている。各入金庫１２の底面には、入金庫１２内の紙幣Ｓを下方へ取り出すための取出口２１が形成されていて、取出口２１には、入金庫１２内の紙幣Ｓを取出口２１経由で下から１枚ずつ繰り出すための出金繰出部２２が連結されている。
【００２２】
入金用一括収納庫１３は、たとえば、複数の入金庫１２よりも後側に配置されている。入金用一括収納庫１３は、縦長ボックス状であって、入金用一括収納庫１３には、金種、正損（正券または損券）等にかかわらず、様々な種類（前述した二千円札等）の紙幣を一括して収納することができる。ここで、正券とは、折れや汚れ等がない紙幣のことであり、損券とは、折れや汚れ等がある傷んだ紙幣のことである。入金用一括収納庫１３は、主に、損券用の収納庫と、二千円札の収納庫とを兼ねている。入金用一括収納庫１３の底面には、入金用一括収納庫１３内の紙幣Ｓを下方へ取り出すための取出口２３（貨幣取出口）が形成されていて、取出口２３には、入金用一括収納庫１３内の紙幣Ｓを取出口２３経由で下から１枚ずつ繰り出すための出金繰出部２４が連結されている。
【００２３】
筐体１０内において、入金庫１２および入金用一括収納庫１３のそれぞれと入金部１１とは、紙幣Ｓを搬送する入金系搬送路２５でつながっている。入金系搬送路２５は、ばら紙幣処理ユニット２に含まれる。入金系搬送路２５は、入金部１１から延び、入金庫１２および入金用一括収納庫１３の手前で分岐して、対応する入金庫１２または入金用一括収納庫１３の上端に対して別々につながっている。入金部１１と入金系搬送路２５との間には、入金部１１内の紙幣Ｓを１枚ずつ繰り出して入金系搬送路２５へ送り込むための入金繰出部２６が介在されている。入金系搬送路２５において入金繰出部２６に連結された一端２５Ａは、入金繰出部２６を介して入金部１１および入金口２０に臨んでいる。
【００２４】
入金系搬送路２５の途中には、紙幣Ｓの金種、正損、真偽等を識別する入金識別部２７が設けられている。ここで、入金識別部２７による識別結果として、紙幣Ｓは、リジェクト紙幣と、正券と、損券とに分類される。リジェクト紙幣とは、紙幣Ｓと識別されなかったものであり、斜行状態や重送状態で入金識別部２７を通過したために入金識別部２７によって正しく識別されなかった紙幣Ｓや、偽札が、リジェクト紙幣に含まれる。正券および損券は、入金識別部２７によって紙幣Ｓであると識別された上で、前述したように汚れや損傷の有無によって区別された紙幣Ｓである。入金系搬送路２５において入金識別部２７と入金庫１２（入金用一括収納庫１３）との間から、入金リジェクト路４８が分岐して、入金リジェクト部１６につながっている。
【００２５】
入金系搬送路２５において各入金庫１２につながった分岐路の途中には、入金一時保留部２８が１つずつ（合計３つ）設けられている。入金系搬送路２５において入金用一括収納庫１３につながった分岐路の途中には、一括一時保留部２９が設けられている。入金一時保留部２８および一括一時保留部２９は、入金系搬送路２５から搬送されてきた紙幣Ｓを一時保留してから、対応する入金庫１２または入金用一括収納庫１３に送り込むためのものである。３つの入金一時保留部２８と１つの一括一時保留部２９とのまとまりは、一時保留部ユニット４３として一体化されており、筐体１０に対して着脱可能に装着されている。図２では、一時保留部ユニット４３において筐体１０から少し引き出された部分が点線で示されている。
【００２６】
入金系搬送路２５の複数の箇所には、紙幣Ｓを入金系搬送路２５内で搬送するために回転するローラ３０とローラ３０を回転駆動させるためのモータ３１とが配置されている。また、入金系搬送路２５における各分岐箇所には、紙幣Ｓの搬送先を切り替えるための切換部材（図２における三角部分）３２が設けられている。
開放された入金口２０から入金部１１に入金された紙幣Ｓは、入金繰出部２６によって１枚ずつ繰り出された後に、入金系搬送路２５を流れて入金庫１２（入金用一括収納庫１３）側へ搬送される。その途中で、入金識別部２７によって紙幣Ｓの識別が行われ、リジェクト紙幣であると識別されたものは、入金リジェクト路４８から入金リジェクト部１６まで搬送された後に機外へ返却される。そして、入金識別部２７において正券または損券である（リジェクト紙幣でない）と識別された紙幣Ｓは、入金系搬送路２５を引き続き流れて、正券は、収納先の入金庫１２の手前の入金一時保留部２８に一時保留される。ここで、係員が操作部６を操作すること等によって入金を確定させると、入金一時保留部２８に一時保留されていた紙幣Ｓは、収納先の入金庫１２に受け渡されて当該入金庫１２に収納される。以上が、紙幣Ｓの入金処理である。入金処理における紙幣Ｓの流れは、図３において、太い実線矢印で示されている。
【００２７】
また、別の入金処理として、収納先の入金庫１２がない正券や、入金識別部２７において損券であると識別された紙幣Ｓは、金種（表裏も含む）にかかわらず、一括一時保留部２９に一時保留され、その後の係員による入金の確定に応じて、入金用一括収納庫１３に一括して収納される。このときの紙幣Ｓの流れは、図３において、太い破線矢印で示されている。ここで、収納先の入金庫１２がない正券として、専用の入金庫１２がない二千円札や、収納先の入金庫１２が満杯であるために行き先のなくなった千円札、五千円札または一万円札の正券（オーバーフロー紙幣ということがある）が挙げられる。
【００２８】
図２に戻り、出金用一括収納庫１４は、たとえば、入金用一括収納庫１３よりも後側に配置されている。出金用一括収納庫１４は、縦長ボックス状であって、出金用一括収納庫１４には、金種、正損（正券または損券）等にかかわらず、様々な種類の紙幣を一括して収納することができる。出金用一括収納庫１４における紙幣Ｓの収納可能枚数は、入金庫１２および入金用一括収納庫１３のそれぞれの収納可能枚数より多い。出金用一括収納庫１４の底面には、出金用一括収納庫１４内の紙幣Ｓを下方へ取り出すための取出口４２が形成されていて、取出口４２には、出金用一括収納庫１４内の紙幣Ｓを取出口４２経由で下から１枚ずつ繰り出すための出金繰出部３３が連結されている。
【００２９】
また、筐体１０の上面には、シャッター３４によって開閉される出金口３５が形成されていて、出金部１７が出金口３５に臨むように配置されている。筐体１０内において、入金庫１２、入金用一括収納庫１３および出金用一括収納庫１４のそれぞれに連結された出金繰出部２２，２４，３３と、出金部１７とは、紙幣Ｓを搬送するための出金系搬送路３６でつながっている。出金系搬送路３６は、ばら紙幣処理ユニット２に含まれる。出金系搬送路３６は、出金繰出部２２，２４，３３のそれぞれから個別に延びてから１つに合流し、出金部１７まで延びている。出金系搬送路３６の途中には、出金識別部３７および斜行補正部３８が設けられている。出金識別部３７の機能は、前述した入金識別部２７とほぼ同じである。斜行補正部３８は、出金系搬送路３６を搬送される紙幣Ｓが斜行している（進行方向に対して傾斜して搬送されている）場合に、紙幣Ｓの姿勢を矯正して、その斜行を補正する。
【００３０】
出金系搬送路３６において斜行補正部３８よりも出金部１７側の部分からは、３つの分岐路３９が分岐している。３つの分岐路３９のうち、最も斜行補正部３８に近い分岐路３９は、出金用一括収納庫１４の上端につながっていて、他の１つは、一方の整理一時保留部１５につながっていて、残りの１つは、他方の整理一時保留部１５につながっている。
以上より、入金用一括収納庫１３および出金用一括収納庫１４に着目すると、出金系搬送路３６は、入金用一括収納庫１３の取出口２３から（分岐路３９において）出金用一括収納庫１４を経由して出金部１７（出金口３５）に至るように設けられていることがわかる。
【００３１】
出金系搬送路３６において斜行補正部３８に近い側の２本の分岐路３９（出金用一括収納庫１４の上端につながった分岐路３９と、前記一方の整理一時保留部１５につながった分岐路３９）の間の部分と、入金系搬送路２５において入金識別部２７よりも入金庫１２（入金用一括収納庫１３）側の部分とは、中継路４０によってショートカットされている。この実施形態では、２箇所に中継路４０が１つずつ設けられているが、少なくとも１箇所に１つあればよい。
【００３２】
出金系搬送路３６の複数の箇所には、前述したローラ３０およびモータ３１が配置されている。また、出金系搬送路３６における各分岐箇所には、前述した切替部材３２が設けられている。
各入金庫１２に収納された紙幣Ｓは、入金庫１２の下端部の出金繰出部２２によって繰り出されて出金系搬送路３６を流れる。その途中で、紙幣Ｓは、出金識別部３７による識別を受ける。リジェクト紙幣または損券であると識別された紙幣Ｓは、出金用一括収納庫１４に収納される。つまり、出金用一括収納庫１４がリジェクト紙幣用の収納庫と損券用の収納庫とを兼ねているので、リジェクト紙幣用の収納庫と損券用の収納庫とを別々に設けずに済み、その分、貨幣処理装置１（ばら紙幣処理ユニット２）を小型化したり、出金用一括収納庫１４における紙幣Ｓの収納可能枚数を多く確保したりすることができる。一方、出金識別部３７において問題のない（正券である）と識別された紙幣Ｓは、出金部１７まで搬送されて出金口３５から外部に出金される。以上が、紙幣Ｓの出金処理である。出金処理における紙幣Ｓの流れ（出金用一括収納庫１４へ搬送される紙幣Ｓの流れも含む）は、図３において、太い１点鎖線で示されている。
【００３３】
出金処理以外の処理として、紙幣Ｓは、分岐路３９を介して整理一時保留部１５に収納されることがある。このときの紙幣Ｓの流れは、図３において、太い点線（前述した破線でない）で示されている。整理一時保留部１５に収納された紙幣Ｓは、積層状態で収納される。なお、入金部１１に入金された紙幣Ｓが、入金庫１２や入金用一括収納庫１３を介さずに、中継路４０経由で入金系搬送路２５から出金系搬送路３６に受け渡されて整理一時保留部１５に収納されることもある。
【００３４】
入金用一括収納庫１３および出金用一括収納庫１４に関する紙幣Ｓの流れについては、追って詳説する。
図２に戻り、搬送機構１８は、整理一時保留部１５に収納されたばら紙幣Ｓの積層方向（ここでは筐体１０の上下方向）に移動可能な一対のアーム４１を備えていて、筐体１０内で整理一時保留部１５の後側に配置されている。所定枚数まで積層された紙幣Ｓは、まとまった状態（積層状態）で一対のアーム４１によって挟持され、整理一時保留部１５から取り出される。搬送機構１８は、取り出した紙幣Ｓのまとまりを、ばら紙幣処理ユニット２の隣の包装紙幣処理ユニット３（図１参照）まで搬送する。包装紙幣処理ユニット３は、ばら紙幣処理ユニット２から受け取った紙幣Ｓのまとまりを、帯封して包装紙幣にしてから、内部で保管したり、機外に払い出したりする。なお、包装紙幣処理ユニット３において紙幣Ｓのまとまりを帯封する構成として、公知の構成を用いることができる。ここで、入金系搬送路２５や出金系搬送路３６で紙幣Ｓを搬送して整理一時保留部１５でまとめてから包装紙幣処理ユニット３で包装紙幣にするまでの処理を、包装処理ということにする。
【００３５】
ここで、最終的に出金系搬送路３６を搬送された紙幣Ｓが、整理一時保留部１５経由で包装紙幣処理ユニット３に受け入れられて包装紙幣となることから、包装紙幣処理ユニット３が出金系搬送路３６に関連して設けられていることがわかる。
また、ばら紙幣処理ユニット２は、マイクロコンピュータ等で構成された制御部４５（搬送路並列駆動制御手段、出金貨幣包装制御手段、第１の判別手段、第１の戻し制御手段、第２の戻し制御手段、第２の判別手段、損券収納制御手段、入金貨幣判別手段、損券・指定金種貨幣の入金制御手段、取出制御手段、損券収納制御手段、戻し制御手段）を備えている。制御部４５は、ばら紙幣処理ユニット２の各種電気部品（モータ３１等）に対して電気的に接続されていて、ばら紙幣処理ユニット２の動作を制御する。具体的には、制御部４５は、シャッター１９，３４の開閉を制御したり、入金繰出部２６，出金繰出部２２，２４，３３による紙幣Ｓの繰り出しを制御したり、モータ３１の駆動や、切替部材３２の動作や、搬送機構１８の動作等を制御する。これにより、前述した入金処理や出金処理や包装処理が実現される。また、制御部４５は、入金識別部２７および出金識別部３７での識別結果に基づいて、入金庫１２、入金用一括収納庫１３および出金用一括収納庫１４のそれぞれにおける紙幣Ｓ（リジェクト紙幣も含む）の在庫数（現時点の収納枚数）を把握している。そのため、入金識別部２７および出金識別部３７のそれぞれは、紙幣Ｓの計数センサの機能も兼ねている。
【００３６】
ここで、入金口２０、入金部１１、入金繰出部２６、入金識別部２７、入金リジェクト部１６、入金一時保留部２８、一括一時保留部２９、入金系搬送路２５、入金庫１２（出金繰出部２２を除く）および入金用一括収納庫１３（出金繰出部２４を除く）のまとまりは、入金系Ｘとされる。そして、出金繰出部２２、出金繰出部２４、出金用一括収納庫１４、出金繰出部３３、出金系搬送路３６、出金識別部３７、斜行補正部３８、出金部１７、出金口３５、整理一時保留部１５および搬送機構１８のまとまりは、出金系Ｙとされる。図２では、入金系Ｘと出金系Ｙとは、１点鎖線で区画されている。入金系Ｘと出金系Ｙとは、中継路４０において部分的にショートカットされているものの、それぞれ独立して存在している。これにより、制御部４５は、入金系搬送路２５と出金系搬送路３６とを、互いに独立的に、かつ、並列的に動作させることができる。ここから、制御部４５が入金系搬送路２５と出金系搬送路３６とのそれぞれに関連して設けられていることがわかる。
【００３７】
図４は、ばら紙幣処理ユニット２において行われる制御動作の一例を示すフローチャートである。図５は、図２において紙幣Ｓの流れを示した図である。
図４を参照して、前述した制御部４５は、係員による操作部６（図１参照）の操作によって、入金処理を行う旨の指示（入金指示）を受けると（ステップＳ１でＹＥＳ）、入金処理を実行する（ステップＳ２）。この際、損券等（損券または指定された金種（たとえば二千円札）の紙幣）は、入金用一括収納庫１３に収納される（図３の太い破線矢印参照）。ここでの入金用一括収納庫１３への損券等の収納に関し、制御部４５は、入金系搬送路２５により搬送される入金紙幣Ｓが前述した損券等であるか否かを入金識別部２７の識別結果に基づいて判別し、入金紙幣Ｓが前述した損券等であると判別したことに応答して、当該入金紙幣Ｓを入金用一括収納庫１３へ収納するように、入金系搬送路２５を駆動させている。
【００３８】
また、制御部４５は、係員による操作部６の操作によって、出金処理を行う旨の指示（出金指示）を受けると（ステップＳ３でＹＥＳ）、出金処理を実行する（ステップＳ４）。この際、出金識別部３７において前述した損券等（損券およびリジェクト紙幣）と識別されたものは、出金用一括収納庫１４に収納される（図３の太い１点鎖線矢印（分岐路３９から出金用一括収納庫１４へ向かっている部分）参照）。
【００３９】
また、係員が、操作部６を操作することによって、入金用一括収納庫１３内の紙幣を入金庫１２や出金用一括収納庫１４に移動させたり、出金用一括収納庫１４内の紙幣を入金庫１２や入金用一括収納庫１３に移動させたりする旨を指示する場合がある。制御部４５は、この指示（移動指示）を受けると（ステップＳ５でＹＥＳ）、移動処理を実行する（ステップＳ６）。
【００４０】
移動処理の一例として、入金用一括収納庫１３内の紙幣のうち、損券は、出金用一括収納庫１４に収納され（図５の太い実線矢印参照）、指定された金種（前述した二千円札）の紙幣Ｓは、中継路４０および入金系搬送路２５を経由してから入金用一括収納庫１３に戻される（図５の太い１点鎖線矢印参照）。これにより、入金処理において識別された損券が、入金用一括収納庫１３から出金用一括収納庫１４に移されて、出金用一括収納庫１４に元々あった損券やリジェクト紙幣とともに、出金用一括収納庫１４内に収納される。
【００４１】
ここでは、制御部４５が、入金用一括収納庫１３に収納された紙幣Ｓを取出口２３から出金系搬送路３６により取り出す。そして、制御部４５は、入金用一括収納庫１３の取出口２３から出金系搬送路３６を通って取り出される紙幣Ｓについて、出金識別部３７の識別結果に基づいて、当該紙幣Ｓが損券か否かや前記指定された金種（二千円札）の紙幣であるか否かを判別し、損券であると判別した場合には、当該紙幣Ｓ（損券）を出金系搬送路３６によって出金用一括収納庫１４へ収納させている（当該紙幣Ｓを出金用一括収納庫１４に収納するように出金系搬送路３６を動作させる）。一方、制御部４５は、当該紙幣Ｓが指定された金種の紙幣であると判別したことに応答して、当該紙幣Ｓを、出金系搬送路３６から入金系搬送路２５を経由して入金用一括収納庫１３へ戻すように、出金系搬送路３６および入金系搬送路２５を駆動制御する。
【００４２】
また、移動処理の別の一例として、出金用一括収納庫１４内の紙幣Ｓが繰り出され（図５の太い破線矢印参照）、出金識別部３７においていずれかの金種の正券であると識別された紙幣Ｓ（リジェクト紙幣として出金用一括収納庫１４に収納されていたが、実際は、問題のない正券であったもの）は、出金用一括収納庫１４に戻らない。詳しくは、いずれかの金種の正券であると識別された紙幣Ｓは、中継路４０および入金系搬送路２５を経由してから（図５の太い１点鎖線矢印参照）、該当する金種（同一金種）の入金庫１２や入金用一括収納庫１３（二千円札の場合）に移される（図３の太い実線矢印および破線矢印参照）。同様に、入金用一括収納庫１３のオーバーフロー紙幣は、元々正券であることから、繰り出された場合には、出金識別部３７において正券であると識別され、その後、中継路４０および入金系搬送路２５を経由してから（図５の太い１点鎖線矢印参照）、該当する金種の入金庫１２に移される（図３の太い実線矢印参照）。
【００４３】
これにより、入金用一括収納庫１３および出金用一括収納庫１４内の正券（二千円札を除く）を、本来収納されるべき入金庫１２に収納し直すことができるので、入金庫１２では正券の在庫数を確保することができる。つまり、損券以外の紙幣Ｓ（重送や斜行が原因であったために正券と判断されなかったに過ぎず、実際には問題のない使用可能な紙幣Ｓやオーバーフロー紙幣）を、出金用に復活させることができる。
【００４４】
なお、入金用一括収納庫１３および出金用一括収納庫１４から繰り出された紙幣Ｓにおいて出金識別部３７において正券でないと識別されたもの（移動させる必要のない紙幣Ｓ）は、入金用一括収納庫１３および出金用一括収納庫１４のどちらかに戻される。
ここで、出金用一括収納庫１４に収納されていたリジェクト紙幣には、入金時の入金識別部２７での識別では正券と識別されて入金庫１２に収納されていたのに、出金処理に出金識別部３７においてリジェクト紙幣と識別されて出金用一括収納庫１４に収納されたものもある。この場合、（当初正券と識別されたものの後でリジェクト紙幣と識別された）紙幣Ｓの枚数が出金識別部３７で計数されていて、当該枚数が、該当する（同一金種の）入金庫１２の在庫数の一部としてみなされるようになっているので、在庫数の数値上の不整合は生じていない。そして、先程の別の一例の移動処理において、出金用一括収納庫１４にあった当該枚数分の（同一金種の）リジェクト紙幣が、出金識別部３７で正券であると識別された後に、該当する入金庫１２に戻される。これによって、当該入金庫１２の在庫数については、数値上だけでなく、実物の紙幣Ｓにおいても、不整合が生じていない。
【００４５】
以上の移動処理において、入金用一括収納庫１３の損券を出金用一括収納庫１４に移す処理と、入金用一括収納庫１３および出金用一括収納庫１４から繰り出された紙幣Ｓ（リジェクト紙幣やオーバーフロー紙幣）のうち出金識別部３７において正券であると識別された紙幣Ｓを該当する金種の入金庫１２や入金用一括収納庫１３（二千円札の場合）に移す処理とは、並行して実施されてもよい。また、出金識別部３７において正券であると識別された紙幣Ｓを該当する金種の入金庫１２や入金用一括収納庫１３（二千円札の場合）に移す処理は、収納先の入金庫１２や入金用一括収納庫１３の在庫数に応じて（たとえば、ニアフル状態でない場合等の条件が満たされたときに）、自動的に開始されてもよい。
【００４６】
以上のように、入金用一括収納庫１３および出金用一括収納庫１４内の正券を、係員が当該正券に直接触れることなく、本来収納されるべき入金庫１２に収納し直して、出金に用いることができる。つまり、入金用一括収納庫１３および出金用一括収納庫１４内の正券を出金用に復活させる（リサイクルさせる）ことにより、ばら紙幣処理ユニット２では、無駄を無くして、機内の紙幣Ｓのリサイクル効率を極限まで高めることができる。
【００４７】
また、制御部４５は、係員による操作部６の操作によって、包装処理を行う旨の指示（包装指示）を受けると（ステップＳ７でＹＥＳ）、包装処理を実行する（ステップＳ８）。この際、出金用一括収納庫１４内の紙幣Ｓが繰り出され、そのうち、出金識別部３７によって損券である識別された紙幣Ｓ（損券）は、整理一時保留部１５に搬送されて、前述したように包装紙幣となり（図５の太い破線矢印参照）、損券以外の紙幣Ｓ（対象外紙幣）は、出金用一括収納庫１４に戻されたり（図５の太い点線矢印参照）、中継路４０および入金系搬送路２５を経由してから入金用一括収納庫１３に移されたりする（図５の太い１点鎖線矢印参照）。ここでは、制御部４５は、出金系搬送路３６により出金用一括収納庫１４の紙幣Ｓを出金して包装紙幣処理ユニット３（図１参照）へ搬送する際に、出金識別部３７の識別結果に基づいて、当該紙幣Ｓが包装に適する紙幣（ここでは、損券）か否かを判別し、損券がある場合には、包装紙幣処理ユニット３（図１参照）を駆動させ、出金する損券を包装紙幣にしている。一方、制御部４５は、包装に適さないと判別した場合には、当該包装に適さないと判別された紙幣（前述した対象外紙幣であって、ここでは、損券以外の紙幣）Ｓを出金系搬送路３６によって出金用一括収納庫１４へ戻したり、出金系搬送路３６から入金系搬送路２５を経由して、入金用一括収納庫１３へ戻したりする。
【００４８】
また、制御部４５は、係員による操作部６の操作によって、入金指示、出金指示、移動指示および包装指示のうち、複数の指示をまとめて受けると（ステップＳ９でＹＥＳ）、受けた指示に係る複数の処理を並行して実行する（ステップＳ１０）。
また、ステップＳ１０において、入金用一括収納庫１３内において二千円札の正券とそれ以外の損券とが混在した状態（当該損券が二千円札の正券よりも取出口４２に近い場合）で二千円札を出金したい場合、出金処理と移動処理とが並行して行われることがある。この場合、入金用一括収納庫１３内の紙幣Ｓ（二千円札の正券および全金種の損券）が全て入金用一括収納庫１３から排出されて出金系搬送路３６を流れる（図３の太い１点鎖線矢印参照）。出金系搬送路３６を流れる紙幣Ｓは、出金識別部３７による識別を受け、二千円札の正券であると識別された紙幣Ｓは、引き続き出金系搬送路３６を流れて出金部１７まで搬送され（図３の太い一点鎖線矢印参照）、二千円札の正券でないと識別された紙幣Ｓ（入金用一括収納庫１３にあった全ての損券）は、出金用一括収納庫１４に収納される（図５の太い実線矢印参照）。このように、二千円札専用の入金庫１２を持たなくても、二千円札の出金処理が可能である。
【００４９】
また、ステップＳ１０において、入金用一括収納庫１３内の二千円札の正券についての出金処理と、入金用一括収納庫１３や出金用一括収納庫１４内の損券についての包装処理とが並行して行われることがある。なお、ここでの損券の包装処理は、金種毎に行われてもよいし、複数金種が混合した状態で行われてもよい。
また、ステップＳ１０において、入金処理と、入金用一括収納庫１３や出金用一括収納庫１４内の損券についての包装処理とが並行して行われることがある。入金用一括収納庫１３や出金用一括収納庫１４内から繰り出された紙幣Ｓのうち、損券以外の紙幣（リジェクト紙幣も含む）は、包装処理の対象外なので、出金用一括収納庫１４に戻される（図５の太い実線矢印参照）。なお、ここでの損券の包装処理も、金種毎に行われてもよいし、複数金種が混合した状態で行われてもよい。
【００５０】
このように、包装処理を出金処理や入金処理と並行して行うことによって、使い道のない損券を入金用一括収納庫１３や出金用一括収納庫１４（つまり、ばら紙幣処理ユニット２内）から排出することができるので、入金用一括収納庫１３や出金用一括収納庫１４が満杯（フル状態）になることを回避できる。なお、包装処理を、他の処理と並行して実施する場合に限らず、他の処理の合間に実施することによっても（ステップＳ８）、入金用一括収納庫１３や出金用一括収納庫１４のフル状態を回避する効果は、ある程度得られる。
【００５１】
なお、以上の各処理は、自動で開始されてもよいし、係員による操作部６の操作によって、係員が指定する任意のタイミングに開始されてもよい。
以上のように、貨幣処理装置１（ばら紙幣処理ユニット２）では、図３を参照して、入金系搬送路２５と出金系搬送路３６とが別々に設けられているので、入金口２０からの紙幣Ｓを入金する入金処理（太い実線矢印および太い破線矢印参照）と、出金口３５へ紙幣Ｓを出金する出金処理（太い１点鎖線矢印参照）とを並行して行うことができる。また、様々な紙幣Ｓが一括収納される一括収納庫が、入金用一括収納庫１３と出金用一括収納庫１４というように別々に（分割して）設けられており、出金系搬送路３６は、入金用一括収納庫１３の紙幣Ｓを、出金用一括収納庫１４を経由させて出金口３５まで搬送することができる。そのため、入金用一括収納庫１３の紙幣Ｓを、入金用一括収納庫１３が満杯になったとき等に出金用一括収納庫１４に移したり（図５の太い実線矢印参照）、出金口３５から直接出金させたり（図３の太い１点鎖線矢印参照）等と、様々に使用することができる。つまり、貨幣処理装置１では、一括収納庫（特に、入金用一括収納庫１３）の紙幣Ｓを使用することができ、かつ、入金処理および出金処理といった複数の処理を並行して行うことができるので、使い勝手がよい。
【００５２】
また、入金処理と並行して、出金用一括収納庫１４の紙幣Ｓを包装紙幣にすること（包装処理）ができる（図５の太い破線矢印参照）。一方、包装に適さないと判別されて行き先がなくなった紙幣Ｓを入金用一括収納庫１３や出金用一括収納庫１４へ戻し（図５の太い点線矢印および太い１点鎖線矢印参照）、包装紙幣以外の用途（出金等）に用いることができる。
【００５３】
また、損券と、指定金種（たとえば取扱量の少ない金種であり、ここでは二千円札）の紙幣Ｓとが入金用一括収納庫１３にまとめて収納されることから、損券用の収納庫と、指定金種用の収納庫とを別々に設けずに済むので、貨幣処理装置１の大型化を抑制できる。一方で、入金用一括収納庫１３の損券を出金用一括収納庫１４に移すこと（移動処理）ができるので（図５の太い実線矢印参照）、入金用一括収納庫１３および出金用一括収納庫１４をうまく使い分けて、それぞれの収納庫における紙幣Ｓの収納量（在庫数）を適宜調整することができる。さらに、入金用一括収納庫１３にまとめて収納された損券および指定金種の紙幣Ｓを一旦取り出して、損券を出金用一括収納庫１４へ収納し（図５の太い実線矢印参照）、指定金種の紙幣Ｓ（二千円札の正券）を入金用一括収納庫１３に戻すことによって（図５の太い１点鎖線矢印参照）、損券および指定金種の紙幣Ｓを分離することができるので、使い勝手が良い。
【００５４】
そして、貨幣処理装置１（ばら紙幣処理ユニット２）では、このように複数の処理を並行して行えるので、処理時間の短縮を図ることができる。
この発明は、以上の実施形態の内容に限定されるものではなく、請求項記載の範囲内において種々の変更が可能である。
たとえば、ばら紙幣処理ユニット２では、入金庫１２、入金用一括収納庫１３および出金用一括収納庫１４のそれぞれ（以下では「各収納庫」という）における紙幣Ｓ（リジェクト紙幣も含む）の精査処理が実施されてもよい。精査処理とは、各収納庫（選択されたものだけであっても良い）における紙幣Ｓを一旦全て取り出して、出金識別部３７で識別し直すことによって紙幣Ｓの中身および収納庫内の在庫数を確認してから、取り出した紙幣Ｓを元の収納庫に戻す処理である。精査処理時において、入金用一括収納庫１３および出金用一括収納庫１４から取り出された紙幣Ｓのうち、出金識別部３７によってリジェクト紙幣であると識別された紙幣Ｓは、入金用一括収納庫１３および出金用一括収納庫１４に戻すことなく、入金一時保留部２８や一括一時保留部２９に収納したり、包装処理の対象としたりしてもよい。入金一時保留部２８や一括一時保留部２９に収納されたリジェクト紙幣は、入金一時保留部２８および一括一時保留部２９のまとまりである一時保留部ユニット４３（図２の点線部分）を筐体１０から引き出すことによって、機外へ回収することができる。
【００５５】
また、入金用一括収納庫１３および出金用一括収納庫１４は、筐体１０内に固定されていて、筐体１０から引き出すことができないようになっている。そこで、入金用一括収納庫１３および出金用一括収納庫１４のそれぞれに収納された紙幣Ｓ（リジェクト紙幣も含む）を抜き取って回収したい場合には、入金用一括収納庫１３および出金用一括収納庫１４から紙幣Ｓを、出金系搬送路３６側へ一旦引き出してから、中継路４０および入金系搬送路２５を経由してから入金一時保留部２８や一括一時保留部２９に収納する。その後、先程と同様に、一時保留部ユニット４３を筐体１０から引き出し（図２の点線で示した一時保留部ユニット４３を参照）、入金一時保留部２８や一括一時保留部２９から紙幣Ｓを回収することができる。入金用一括収納庫１３および出金用一括収納庫１４の紙幣Ｓを出金部１７から回収することも可能ではあるが、出金部１７が比較的狭いことから、出金部１７に紙幣Ｓを小出しで搬送する必要があるので、煩わしいし、時間もかかる。そこで、それぞれの紙幣収納可能枚数が比較的多い（たとえば３００枚程度）入金一時保留部２８および一括一時保留部２９を一体化した一時保留部ユニット４３に、入金用一括収納庫１３および出金用一括収納庫１４の紙幣Ｓを取り込んで機外へ引き出せば、速やかに紙幣Ｓの回収を完了させることができる。
【００５６】
このように一時保留部ユニット４３によって紙幣Ｓを回収する場合、当該紙幣Ｓの枚数に応じて、当該紙幣Ｓを一時保留部ユニット４３において、入金一時保留部２８および一括一時保留部２９のいずれかにまとめて収納してもよいし、入金一時保留部２８および一括一時保留部２９の内で選択した複数の一時保留部に分割して収納してもよい。当該紙幣Ｓをまとめて収納する場合には、筐体１０の正面に最も近い一時保留部（つまり、最も前側の入金一時保留部２８）に紙幣Ｓをまとめるとよい。そうすれば、一時保留部ユニット４３を少し引き出すだけで、当該最も前側の入金一時保留部２８が機外に引き出されるので、当該入金一時保留部２８内の紙幣Ｓを速やかに（少ない労力で）回収できる。一方、複数の一時保留部に分割して収納する場合には、紙幣Ｓを金種毎に分けて収納してもよく、この場合、回収した紙幣Ｓを後で金種毎に仕分ける手前を省けるので、後処理が楽になる。また、回収する紙幣Ｓの金種および枚数や、入金一時保留部２８および一括一時保留部２９への（回収する）紙幣Ｓの収納パターンは、係員による操作部６（図１参照）の操作によって、任意に設定可能である。
【００５７】
また、紙幣Ｓを回収する場合、入金用一括収納庫１３および出金用一括収納庫１４から紙幣Ｓを出金系搬送路３６側へ一旦引き出して出金識別部３７で識別するのだが、ここでの識別でもリジェクト紙幣であると識別されたものは、一時保留部ユニット４３に送り込むのではなく、たとえば、入金リジェクト部１６に搬送して、入金リジェクト部１６から回収されてもよい。そうすれば、一時保留部ユニット４３を引き出す手間をかけずに、リジェクト紙幣の現物を直に確認することができる。
【００５８】
また、貨幣処理装置１では、ばら紙幣処理ユニット２、包装紙幣処理ユニット３、包装硬貨処理ユニット４およびばら硬貨処理ユニット５が揃っている（図１参照）。しかし、本発明は、ばら紙幣処理ユニット２および包装紙幣処理ユニット３だけで構成された貨幣処理装置１や、包装硬貨処理ユニット４およびばら硬貨処理ユニット５だけで構成された貨幣処理装置１や、ばら紙幣処理ユニット２、包装紙幣処理ユニット３、包装硬貨処理ユニット４およびばら硬貨処理ユニット５のいずれか１つだけを含む貨幣処理装置１にも適用可能である。
【００５９】
また、入金部１１と出金部１７とが一体化されていて、共通の入出金口から紙幣Ｓの入出金が可能であってもよい。また、入金識別部２７は、紙幣の表裏を識別可能であって、入金系搬送路２５には、入金識別部２７によって表裏が逆であると識別された紙幣Ｓの表裏を反転させる機構が設けられていてもよい。
また、この発明は、出納機等以外に、貨幣の入出金処理を行う両替機やＡＴＭ等にも適用できる。
【符号の説明】
【００６０】
１  貨幣処理装置
３  包装紙幣処理ユニット
１３  入金用一括収納庫
１４  出金用一括収納庫
２０  入金口
２３  取出口
２５  入金系搬送路
２５Ａ  一端
３５  出金口
３６  出金系搬送路
４５  制御部
Ｓ  紙幣
【図１】
0005984177.tif 000002
【図２】
0005984177.tif 000003
【図３】
0005984177.tif 000004
【図４】
0005984177.tif 000005
【図５】
0005984177.tif 000006